(57)【要約】      （修正有）【課題】水平方向と垂直方向とも回動可能な、二方向ヒンジを提供する。【解決手段】二方向ヒンジ構造は主に水平回動軸組１１、回動切換え部材１２、及び垂直回動軸組１３を含み、回動切換え部材によって水平回動軸組と垂直回動軸組が枢接されるものである。さらに、垂直回動軸組には、位置合わせ部材、回動規制具、安定具、弾性部材及び締付固定具を有する。そのうち、回動規制具の位置規制突起部及び位置規制円弧部は、それぞれ位置合わせ部材の案内レールと位置規制突起部とに合わせて、垂直回動軸組の回動角度を制限する。安定具の位置決め突起部及び安定用突起部は位置合わせ部材の位置決め孔と組み合わせて、安定性を維持する。【選択図】図１
0003144504.tif 000002
【実用新案登録請求の範囲】
【請求項１】
一つ以上の水平回動軸組と、
一つ以上の係合部と、該水平回動軸組に枢接するための一つ以上の固定部とを有する回動切換え部材と、
該回動切換え部材を装入する孔部を備えた垂直回動軸組と、を少なくとも含む二方向ヒンジ構造であって、
該垂直回動軸組は少なくとも、
該孔部の周縁に一つ以上の案内レールを設け、孔部周縁の釣り合い側に一つ以上の位置規制突起部を設け、一つ以上の位置調整凹み部を備えた位置合わせ部材と、
一つ以上の第１固定突起部、一つ以上の位置規制突起部及び一つ以上の位置規制円弧部を有し、該第１固定突起部は該孔部の周縁に設けられ、該回動切換え部材に備える該係合部と係合し、該位置規制突起部は該位置合わせ部材に備える案内レールにおいて摺動し、該位置規制円弧部は該位置合わせ部材の位置規制突起部に合わせる回動規制具と、
一つ以上の第２固定突起部、一つ以上の位置決め突起部、及び一つ以上の安定用突起部を備え、該第２固定突起部は該孔部周縁に設けられ、該回動切換え部材に備える該係合部と係合し、該位置決め突起部は該位置合わせ部材に備える該位置決め凹み部に合わせ、該安定用突起部は該位置合わせ部材に寄り集めて、該安定具と該位置合わせ部材とを互いに合わせる安定具と、
該安定具に弾性裕度を提供し、該安定具と合わせて該回動切換え部材に装入する弾性素子と、及び
一つ以上のねじ及び取付け板を有し、該ねじにより取付け板を回動切換え部材に締めつけると共に回動切換え部材と垂直回動軸組と一体して結合させ、該取付け板は孔部に対応する通過孔を有する締付固定具と、を備えることを特徴とする二方向ヒンジ構造。
【請求項２】
該回動切換え部材は通路を有し、該通路は該孔部と該通過孔に対応し、該通路は該垂直回動軸組の釣り合い側に円弧開口部を有することを特徴とする請求項１記載の二方向ヒンジ構造。
【請求項３】
該回動規制具に複数の凹み溝を設けて、潤滑剤を収容することを特徴とする請求項１記載の二方向ヒンジ構造。
【請求項４】
該位置合わせ部材は耐磨耗性の金属部材を用いることを特徴とする請求項１記載の二方向ヒンジ構造。
【請求項５】
該耐磨耗性の金属部材は型鋼を用いることを特徴とする請求項４記載の二方向ヒンジ構造。
【請求項６】
該弾性素子は一つ以上のばね片であることを特徴とする請求項１記載の二方向ヒンジ構造。
【請求項７】
該弾性素子は一つ以上の第４固定突起部を有し、該第４固定突起部は該回動切換え部材の該係合部と係合することを特徴とする請求項１記載の二方向ヒンジ構造。
【請求項８】
一つ以上の水平回動軸組と、
一つ以上の係合部を有し、該水平回動軸組に枢接するための一つ以上の固定部を有する回動切換え部材と、
該回動切換え部材を装入する孔部を備えた垂直回動軸組と、を少なくとも含む二方向ヒンジ構造であって、
該垂直回動軸組は少なくとも
該孔部の周縁に一つ以上の案内レールを設け、孔部の周縁との釣り合い側に、一つ以上の位置規制突起部を設ける案内部材と、
一つ以上の位置決め孔を有する位置決め部材と、
該案内部材と該位置決め部材によって挟まれる固定部材と、
一つ以上の第１固定突起部、一つ以上の位置規制突起部及び一つ以上の位置規制円弧部を有し、該第１固定突起部は該孔部の周縁に設けられ、該回動切換え部材に備える該係合部と係合し、該位置規制突起部は該案内部材に備える案内レールにおいて摺動し、該位置規制円弧部は該案内部材の位置規制突起部に合わせる回動規制具と、
一つ以上の第２固定突起部、一つ以上の位置決め突起部、及び一つ以上の安定用突起部を備え、該第２固定突起部は該孔部周縁に設けられ、該回動切換え部材に備える該係合部と係合し、該位置決め突起部は位置決め部材に備える該位置決め孔に合わせ、該安定用突起部は該位置決め部材に寄り集めて、該安定具と該位置決め部材とを互いに合わせる安定具と、
該安定具に弾性裕度を提供し、該安定具と合わせて、該回動切換え部材に装入する弾性素子と、
一つ以上のねじ及び取付け板を有し、該ねじにより取付け板を回動切換え部材に締めつけるとともに、回動切換え部材と垂直回動軸組と一体して結合させ、該取付け板は孔部に合わせる通過孔を有する締付固定具と、を備えたことを特徴とする二方向ヒンジ構造。
【請求項９】
該回動切換え部材は通路を有し、該通路は該孔部と該通過孔に対応し、該通路は該垂直回動軸組の釣り合い側に円弧開口部を有することを特徴とする請求項８記載の二方向ヒンジ構造。
【請求項１０】
該回動規制具に複数の凹み溝を設けて、潤滑剤を収容することを特徴とする請求項８記載の二方向ヒンジ構造。
【請求項１１】
該案内部材又は該位置決め部材は耐磨耗性の金属部材を用いることを特徴とする請求項８記載の二方向ヒンジ構造。
【請求項１２】
該耐磨耗性の金属部材は型鋼を用いることを特徴とする請求項１１記載の二方向ヒンジ構造。
【請求項１３】
該弾性素子は一つ以上のばね片であることを特徴とする請求項８記載の二方向ヒンジ構造。
【請求項１４】
該弾性素子は一つ以上の第４固定突起部を有し、該第４固定突起部は該回動切換え部材の該係合部と係合することを特徴とする請求項８記載の二方向ヒンジ構造。
【考案の詳細な説明】
【技術分野】
【０００１】
本考案は二方向ヒンジ構造に係わり、特に水平方向と垂直方向とも回動機能を備える二方向ヒンジ構造に係わるものである。
【背景技術】
【０００２】
通常の蓋をめくり上げる消費電子製品を言うと、例えばノートパソコン、携帯電話、電子辞書、携帯式デジタルビデオ・オーディオ再生装置、デジタル画像キャプチャ装置、デジタルビデオレコーダ、デジタルカメラ又は車載ディスプレイなどのほとんどは、本体部を片側に設け、回動軸により他端の蓋体と連結し、蓋体部は本体部からめくり上げることができる構造になっている。このため、回動軸は前記した製品の良否を左右する要因となっている。そして、良い回動軸は、必要な停滞効果のほか、素子の簡素化及び組立便利なども設計の際の重要な考慮要素である。
【特許文献１】中華民国特許公告第５７３９１０号
【考案の開示】
【考案が解決しようとする課題】
【０００３】
そこで、業者の改良により、一つの素子で二方向回動を実現する回動軸が考案された。一例として、中華民国特許公告第５７３９１０号に開示された「ヒンジ」は、主に表示スクリーンと本体との間に設けるヒンジである。回動台と固定ベースとの回動関係により、スクリーンを限られた角度にて緯方向に、回動台に備える２本の足を限られた角度にて経方向にそれぞれ回動可能とする。よって一つのヒンジを介して利用者に対しより多くの使用効果を提供できる。しかしながら、当該技術の内容を精査すると、該回動ベースは本体の両側に、それぞれ溝を有した管体が設けられ、結合足挿入端が溝に挿入され自在に回動可能となる。さらに、該固定ベースは、回動軸の上下部に規制シートと条状の固定シートをそれぞれに接続した上、該回動軸の上部を本体に通した後、複数のばね片を装入して組み合わせる。
【０００４】
よって、前記した該特許は、水平方向において径方向摩擦によるソケット接続回動軸を、垂直方向において軸方向摩擦の直列接続回動軸をそれぞれ採用している。しかし、素子の簡素化と組立の便利性から、前記した該特許に図示された通り、デジタルビデオレコーダに応用する場合、該ヒンジの容積を大幅に縮小しなければならない。このため、垂直方向の直列接続回動軸の組立は素子が多く、組立工程が複雑になり、生産コストと容積の膨大化から、改善を要する。
【０００５】
本考案人は前記した公知技術の技術欠点を鑑みて、長年にわたる当該分野の実務経験に基づいて、研究設計を繰り返した結果、前記欠点の改善に対応できる二方向ヒンジ構造を考案した。
【０００６】
本考案は前記した課題を鑑みてなされたもので、二方向ヒンジ構造に関し、特に水平と垂直方向とも回動機能を有する二方向ヒンジ構造を提供することを本考案の主な目的とする。
【課題を解決するための手段】
【０００７】
前記の目的を実現するため、本考案による二方向ヒンジ構造は、主に水平回動軸組、回動切換え部材、及び垂直回動軸組を含め、回動切換え部材によって水平回動軸組と垂直回動軸組とが枢接される。さらに、垂直回動軸組に位置合わせ部材、回動規制具、安定具、弾性部材及び締付固定具を含める。そのうち、回動規制具の位置規制突起部と位置規制円弧部は位置合わせ部材の案内レール及び位置規制突起部と合わせて、垂直回動軸組の回動角度を制限する。安定具の位置決め突起部と安定用突起部は位置合わせ部材の位置決め孔と組み合わせて、磨き合いの安定性を維持する。本考案の位置合わせ部材、回動規制具及び安定具の設計により、垂直回動軸組の位置合わせ及び位置規制の効果を達成する。その上、本考案は改良の位置合わせ部材を用いて、二方向ヒンジ構造の容積を最小限に抑えることができる。
【０００８】
特に、回動切換え部材に一つ以上の係合部と固定部を備え、固定部は水平回動軸組に接続する。垂直回動軸組は回動切換え部材に装入するための孔部を設ける。そのうち、位置合わせ部材に備える孔部の周縁に一つ以上の案内レールを設け、孔部の周縁との釣り合い側に、一つ以上の位置規制突起部を設ける。回動規制具に一つ以上の第１固定突起部を設け、第１固定突起部を回動切換え部材の係合部と係合し、安定具に一つ以上の第２固定突起部と回動切換え部材の係合部と（を）係合する。弾性素子により安定具の弾性裕度を提供する。締付固定具は一つ以上のねじと固定板を含め、ねじにより固定板と回動切換え部材を締めつけて、回動切換え部材と垂直回動軸組を一体化に結合する。
【０００９】
さらに、前記の位置合わせ部材は案内部材、位置決め部材と固定部材より構成しても良い。案内部材周縁に一つの案内レールを設け、孔部周縁との釣り合い側に一つ以上の位置規制突起部を設け、位置決め部材に一つ以上の位置決め孔を設け、固定部材は案内部材と位置決め部材によって挟む。回動規制具に複数の凹み溝を設け、回動規制具の回動をより順調にするための潤滑剤を収容する。通常、位置合わせ部材、案内部材又は固定部材の材質は、耐磨耗性の金属部材を用いる。ただし、型鋼が好ましい。通常、弾性素子はばね片より構成する。弾性素子はさらに第４固定突起部を設け、第４固定突起部と回動切換え部材の係合部と係合する。
【考案の効果】
【００１０】
前記した通り、本考案による二方向ヒンジ構造は、位置合わせ部材、回動規制具及び安定具の設計により、垂直回動軸組の位置決めと固定効果を実現する。回動切換え部材を水平回動軸組と垂直回動軸組に枢接し、二方向ヒンジ構造を実現した上、本考案の位置合わせ部材と合わせて、二方向ヒンジ構造の容積を最小限に抑えることができる。
【考案を実施するための最良の形態】
【００１１】
審査官の方々が本考案で使用される技術手段およびその効果について、さらなるのご理解と認識を計るため、本考案の好ましい実施例と図式を合わせて、以下のとおり詳細説明する。そのうち、同じ素子は同じ符号を付けて、説明する。
【実施例１】
【００１２】
図１は、本考案による二方向ヒンジ構造の分解図である。図示の通り、二方向ヒンジ構造１は一つ以上の水平回動軸組１１、回動切換え部材１２及び垂直回動軸組１３を含める。そのうち、回動切換え部材１２は一つ以上の係合部１２１を有し、水平回動軸組１１に備える一つ以上の固定部１２２に枢接し、垂直回動軸組１３に孔部１４を設け、回動切換え部材１２とソケット接続する。
【００１３】
図２と図３を合わせて参照する。図２は本考案による二方向ヒンジ構造の回動切換え部材と垂直回動軸組の第１視角分解図であって、図３は本考案による二方向ヒンジ構造の回動切換え部材と垂直回動軸組の第２視角分解図である。この図において、回動切換え部材１２と垂直回動軸組１３を示す。そのうち、垂直回動軸組１３は少なくとも位置合わせ部材２１、回動規制具２２、安定具２３、弾性素子２４及び締付固定具２５を含める。位置合わせ部材２１に備える孔部１４の周縁は一つ以上の案内レール２１１を設け、孔部１４周縁の釣り合い側に一つ以上の位置規制突起部２１２を設け、位置合わせ部材２１に一つ以上の位置決め凹み部２１３を設ける。回動規制具２２に一つ以上の第１固定突起部２２１、一つ以上の位置規制突起部２２２及び一つ以上の位置規制円弧部２２３を設け、第１固定突起部２２１と回動切換え部材１２の係合部１２１と係合する。位置規制突起部２２２を位置合わせ部材２１の案内レール２１１において摺動し、位置規制円弧部２２３は位置合わせ部材２１の位置規制突起部２１２に合わせる。回動規制具２２をより順調に回動するため、回動規制具２２はさらに複数の凹み溝２２４を備え、潤滑剤を収容する。該潤滑剤は通常の潤滑油を用いても良い。安定具２３に一つ以上の第２固定突起部２３１、一つ以上の位置決め突起部２３２及び一つ以上の安定用突起部２３３を設け、第２固定突起部２３１と回動切換え部材１２の係合部１２１と係合する。位置決め突起部２３２と位置合わせ部材２１の位置決め凹み部２１３と組み合わせる。安定用突起部２３３は位置合わせ部材２１に寄り集めて、安定具２３を安定に位置合わせ部材２１と摩擦し合う。弾性素子２４により安定具２３に弾性裕度を提供し、安定具２３に合わせて回動切換え部材１２に装入した上、一つ以上の第４固定突起部２４１を設け、該第４固定突起部２４１は回動切換え部材１２の係合部１２１と係合する。締付固定具２５は少なくともねじ２５１及び取付け板２５２を有し、ねじ２５１により取付け板２５２を回動切換え部材１２に締めつけ、回動切換え部材１２と垂直回動軸組１３と一体して結合する。取付け板２５２は孔部１４に合わせて通過孔２５３を設ける。
【００１４】
図４は、本考案による二方向ヒンジ構造の回動切換え部材の断面図である。図示の通り、回動切換え部材１２に通路１２３を備え、通路１２３は孔部１４と通過孔２５３に対応し、通路１２３は垂直回動軸組１３の釣り合い側に所定の曲率を有した円弧開口部Ｒを設ける。
【００１５】
図５は、本考案による二方向ヒンジ構造の位置合わせ部材組の分解図である。図示の通り、位置合わせ部材組に案内部材３２、位置決め部材３３及び固定部材３１を備える。そのうち、案内部材３２に備える孔部の周縁に一つ以上の案内レール３２１を設け、孔部１４の周縁との釣り合い側に、一つ以上の位置規制突起部３２２を設ける。位置決め部材３３は一つ以上の固定孔３３１を有する。固定部材３１は案内部材３２及び位置決め部材３３によって挟まれる。
【００１６】
図６は、本考案による二方向ヒンジ構造もう一つの位置合わせ部材組の分解図である。図示の通り、位置合わせ部材組に案内部材３２、位置決め部材３３及び固定部材４１を備える。そのうち、案内部材３２に備える孔部１４の周縁に一つ以上の案内レール３２１を設け、孔部１４の周縁との釣り合い側に、一つ以上の位置規制突起部３２２を設ける。位置決め部材３３は一つ以上の固定孔３３１を有する。固定部材４１の両面に凹みリング４１１を設け、案内部材３２と位置決め部材３３をはめ込んで挟む。
【００１７】
通常、位置合わせ部材２１、案内部材３２又は固定部材３１の材質は、耐磨耗性の金属部材を用いる。ただし、型鋼が好ましい。さらに、弾性素子２４は一つ以上の弾性ばねが好ましい。
【００１８】
以上の通りの実施例を説明したが、これらは本考案を制限するものではなく、当該技術を熟知する者ならば、本考案に開示された技術内容に基づいて、本考案の精神範囲による等効果修正又は改変は、なお本考案の請求範囲に含まれるものとする。
【図面の簡単な説明】
【００１９】
【図１】本考案による二方向ヒンジ構造を示す分解図である。
【図２】本考案による二方向ヒンジ構造における回動切換え部材と垂直回動軸組の第１視角を示す分解図である。
【図３】本考案による二方向ヒンジ構造の回動切換え部材と垂直回動軸組の第２視角を示す分解図である。
【図４】本考案による二方向ヒンジ構造の回動切換え部材を示す断面図である。
【図５】本考案による二方向ヒンジ構造の位置合わせ部材を示す分解図である。
【図６】本考案による二方向ヒンジ構造におけるもう一つの位置合わせ部材を示す分解図である。
【符号の説明】
【００２０】
１          二方向ヒンジ構造
１１        水平回動軸組
１２        回動切換え部材
１２１      係合部
１２２      固定部
１２３      通路
１３        垂直回動軸組
１４        孔部
２１        位置合わせ部材
２１１      案内レール
２１２      位置規制突起部
２１３      位置決め凹み部
２２        回動規制具
２２１      第１固定突起部
２２２      位置規制突起部
２２３      位置規制円弧部
２２４      凹み溝
２３        安定具
２３１      第２固定突起部
２３２      位置決め突起部
２３３      安定用突起部
２４        弾性素子
２４１      第４固定突起部
２５        締付固定具
２５１      ねじ
２５２      取付け板
２５３      通過孔
Ｒ          円弧開口部
３１        固定部材
３２        案内部材
３２１      案内レール
３２２      位置規制突起部
３３        位置決め部材
３３１      固定孔
４１        固定部材
４１１      凹みリング
【図１】
0003144504.tif 000003
【図２】
0003144504.tif 000004
【図３】
0003144504.tif 000005
【図４】
0003144504.tif 000006
【図５】
0003144504.tif 000007
【図６】
0003144504.tif 000008
【手続補正書】
【提出日】平成20年6月20日(2008.6.20)
【手続補正１】
【補正対象書類名】図面
【補正対象項目名】図１
【補正方法】変更
【補正の内容】
【図１】
0003144504.tif 000009